(57)【要約】【課題】この発明は、マルチ再生モード時に他人に見せたくない画像を内容がわかりにくい状態で表示でき、しかも、１画面内の表示可能枚数が大きい場合には処理が簡単となるデジタルカメラを提供することを目的とする。【解決手段】マルチ再生モード時に、現在設定されている１画面内の表示可能枚数が所定枚数以上であるか否かを判別する手段、ならびに現在設定されている１画面内の表示可能枚数が所定枚数未満であると判別した場合には、マルチ表示すべき複数枚の撮影画像のサムネイルのうち、シークレット設定が行なわれているものについてはぼかし処理を施してから表示させ、シークレット設定が行なわれていないものについてはぼかし処理を施すことなく表示させる手段を備えている。【選択図】図６
2011254526.tif 000002
【特許請求の範囲】
【請求項１】
マルチ再生モード時において、１画面内の表示可能枚数を予め定められた範囲内でユーザに設定変更させるための手段を備えたデジタルカメラにおいて、
保存している撮影画像に対して、ユーザにシークレット設定を行なわせるための手段、
保存している各撮影画像毎に、シークレット設定が行なわれているか否かを記憶する手段、
マルチ再生モード時に、現在設定されている１画面内の表示可能枚数が所定枚数以上であるか否かを判別する手段、ならびに
現在設定されている１画面内の表示可能枚数が所定枚数未満であると判別した場合には、マルチ表示すべき複数枚の撮影画像のサムネイルのうち、シークレット設定が行なわれているものについてはぼかし処理を施してから表示させ、シークレット設定が行なわれていないものについてはぼかし処理を施すことなく表示させる手段
を備えていることを特徴とするデジタルカメラ。
【請求項２】
現在設定されている１画面内の表示可能枚数が所定枚数以上であると判別した場合には、シークレット設定が行なわれているか否かに関係なく、マルチ表示すべき複数枚の撮影画像のサムネイルを、ぼかし処理を施すことなく表示させる手段を備えていることを特徴とする請求項１に記載のデジタルカメラ。
【発明の詳細な説明】
【技術分野】
【０００１】
この発明は、デジタルカメラに関する。
【背景技術】
【０００２】
特開２００６−２３８１９４号公報には、撮影済の保存画像のうち他人に見せたくない画像のコマ番号をユーザに指定させておき、撮影済保存画像の再生時において、再生しようとする画像のコマ番号が他人に見せたくない画像のコマ番号として指定されている場合には、その画像をスキップさせる機能を備えたデジタルカメラが開示されている。
【０００３】
【特許文献１】特開２００６−２３８１９４号公報
【発明の開示】
【発明が解決しようとする課題】
【０００４】
ところで、撮影済の保存画像を再生するモードとして、複数の画像を縮小して一覧表示させるマルチ再生モード（サムネイル表示モード）を備えているデジタルカメラが知られている。
【０００５】
撮影済の保存画像の中に他人に見せたくない画像が存在する場合には、マルチ再生モード時においても、他人に見せたくない画像のサムネイルを全く表示させなくするといったことが考えられ。しかしながら、マルチ再生モードは、撮影者であるユーザが、どのような画像を撮影して保存しているかを迅速に把握するために設けられているモードであるので、他人に見せたくない画像のサムネイルを全く表示させなくすると、撮影者であるユーザはどのような画像が保存されているかを把握できなくなる。
【０００６】
そこで、本発明者は、撮影済の保存画像のうち、他人に見せたくない画像をユーザによって指定させておき、マルチ再生モードにおいて、一覧表示しようとする複数枚の画像の中に他人に見せたくない画像が含まれる場合には、その画像のサムネイルに対してぼかし処理を施してから、一覧表示画面を生成して表示させるといったことを提案する。このようにすると、マルチ再生モード時においては、他人に見せたくない画像のサムネイルがぼかされた状態で表示されるので、他人に見せたくない画像の内容が他人に認識されるといったことが防止できるとともに、撮影者であるユーザはどのような画像が保存されているかを把握できるようになる。
【０００７】
ところで、マルチ再生モード時において、他人に見せたくない画像のサムネイルについてはぼかし処理を施してから表示させるようにすると、マルチ再生モード時において、一覧表示しようとする複数枚の画像の中に他人に見せたくない画像が含まれる場合には、その画像に対してぼかし処理を施す必要がある。
【０００８】
マルチ再生モードを有するデジタルカメラとして、マルチ再生モード時に１画面に表示できる画像枚数を設定変更できるものが知られている。例えは、マルチ再生モード時には、３×３のようにｎ×ｎ枚の画像を１画面内に表示できるが、ｎを３〜６の範囲内で設定変更できるものがある。
【０００９】
この種のデジタルカメラでは、１画面内の表示可能枚数が大きくなるほど、マルチ画面上に表示される各サムネイルがより縮小されて表示される。また、１画面内の表示可能枚数が大きくなるほど、マルチ画面上に表示される各サムネイルの数は多くなり、マルチ画面を表示するために時間がかかる。１画面内の表示可能枚数が大きいためにサイズが小さく、他人が画像内容を認識しずらくなっているサムネイルに、さらにぼかし処理を施してマルチ画面表示を行なうと、撮影者であるユーザにもそのサムネイルの内容が把握できなくなる可能性が高くなる。
【００１０】
そこで、本発明者は、１画面内の表示可能枚数が大きいために各サムネイルのサイズが小さく、各サムネイルの内容を他人が認識しずらくなっている場合には、一覧表示しようとする複数枚の画像の中に他人に見せたくない画像が含まれる場合でも、その内容をわかりにくくするための画像処理を省略することにより、撮影者であるユーザがその内容を把握できるようにすると同時に処理の簡素化を図ることを発案した。
【００１１】
この発明は、マルチ再生モード時に１画面内の表示可能枚数を設定変更できるデジタルカメラにおいて、マルチ再生モード時に他人に見せたくない画像を内容がわかりにくい状態で表示できるデジタルカメラを提供することを目的とする。
【００１２】
この発明は、マルチ再生モード時に１画面内の表示可能枚数を設定変更できるデジタルカメラにおいて、マルチ再生モード時に他人に見せたくない画像を内容がわかりにくい状態で表示でき、しかも、１画面内の表示可能枚数が大きい場合には処理が簡単化となるデジタルカメラを提供することを目的とする。
【課題を解決するための手段】
【００１３】
請求項１に記載の発明は、マルチ再生モード時において、１画面内の表示可能枚数を予め定められた範囲内でユーザに設定変更させるための手段を備えたデジタルカルラにおいて、保存している撮影画像に対して、ユーザにシークレット設定を行なわせるための手段、保存している各撮影画像毎に、シークレット設定が行なわれているか否かを記憶する手段、マルチ再生モード時に、現在設定されている１画面内の表示可能枚数が所定枚数以上であるか否かを判別する手段、ならびに現在設定されている１画面内の表示可能枚数が所定枚数未満であると判別した場合には、マルチ表示すべき複数枚の撮影画像のサムネイルのうち、シークレット設定が行なわれているものについてはぼかし処理を施してから表示させ、シークレット設定が行なわれていないものについてはぼかし処理を施すことなく表示させる手段を備えていることを特徴とする。
【００１４】
請求項２に記載の発明は、請求項１に記載のデジタルカメラにおいて、現在設定されている１画面内の表示可能枚数が所定枚数以上であると判別した場合には、シークレット設定が行なわれているか否かに関係なく、マルチ表示すべき複数枚の撮影画像のサムネイルを、ぼかし処理を施すことなく表示させる手段を備えていることを特徴とする。
【発明の効果】
【００１５】
この発明によれば、ルチ再生モード時に１画面内の表示可能枚数を設定変更できるデジタルカメラにおいて、マルチ再生モード時に他人に見せたくない画像を内容がわかりにくい状態で表示できるようになる。
【００１６】
この発明によれば、マルチ再生モード時に１画面内の表示可能枚数を設定変更できるデジタルカメラにおいて、マルチ再生モード時に他人に見せたくない画像を内容がわかりにくい状態で表示でき、しかも、１画面内の表示可能枚数が大きい場合には処理が簡単となる。
【発明を実施するための最良の形態】
【００１７】
以下、この発明の実施例について説明する。
【実施例１】
【００１８】
〔１〕デジタルカメラの構成
【００１９】
図１は、デジタルカメラの構成を示している。
【００２０】
ＣＣＤ（撮像素子）３は、レンズ１および絞り機構２を通して入射した光学像を光電変換し、電気信号として出力する。レンズ１および絞り機構２は、モータ駆動部３１によって駆動される。ＣＣＤ３は、ＣＣＤ駆動部３２によって駆動される。
【００２１】
ＣＣＤ３の出力信号（ＲＧＢ信号）は、ＣＤＳ回路とＡＧＣ回路とを備えたＣＤＳ／ＡＧＣ回路４に送られる。ＣＤＳ／ＡＧＣ回路４に入力したＣＣＤ３の出力信号は、ＣＤＳ回路で相関二重サンプリング処理された後、ＡＧＣ回路で最適な振幅にゲイン調整される。ＣＤＳ／ＡＧＣ回路４の出力信号は、Ａ／Ｄ変換器５によってデジタル映像信号に変換される。Ａ／Ｄ変換器５によって得られたデジタル映像信号は信号処理部６に送られ、所定の信号処理が施されることにより、ＹＵＶ信号が生成される。信号処理部６によって生成されたデジタル画像データは、ＳＤＲＡＭ７に格納される。
【００２２】
デジタルカメラの各部は、ＣＰＵ２０によって制御される。ＣＰＵ２０には、操作部２１を備えている。操作部２１には、電源ボタン、シャッターボタン、ズームスイッチ、撮影モードと再生モードとを切り替えるモード切替スイッチ、メニュー画面を表示させるためのメニューボタン、上下左右移動キー機能および決定キー機能を備えたＳＥＴボタン等の各種ボタンが設けられている。
【００２３】
ＣＰＵ２０には、上述したモータ駆動部３１、ＣＣＤ駆動部３２、信号処理部６およびＳＤＲＡＭ７の他、画像処理部８、画像圧縮・伸張処理部９、ズーム処理部１０、Ｄ／Ａ変換器１１およびカード制御部１４が接続されている。Ｄ／Ａ変換器１１には、ビデオエンコーダ１２を介して表示器１３が接続されている。カード制御部１４には、外部メモリカード１５が接続されている。
【００２４】
通常撮影モードが設定されている場合の動作について説明する。操作部２１のシャッターボタンが押下げられていない場合には、一定間隔（例えば１／６０秒）で撮影された画像データがＳＤＲＡＭ７に書き込まれた後、Ｄ／Ａ変換器１１によってアナログ映像信号に変換された後、ビデオエンコーダ１２によりＮＴＳＣ信号に変換されて表示器１３に表示される。このような表示は、スルー表示と呼ばれている。
【００２５】
シャッターボタンが押下げられると、静止画の撮影を開始し、そのタイミングで撮影された画像データがＳＤＲＡＭ７に書き込まれる。ＳＤＲＡＭ７に書き込まれた画像データは、Ｄ／Ａ変換器１１およびビデオエンコーダ１２を介して表示器１３に送られて表示されるとともに、画像圧縮・伸張処理部９によってＪＰＥＧ形式にエンコードされた後、カード制御部１４によって外部メモリカード１５に保存される。さらに、画像処理部８によってＳＤＲＡＭ７に書き込まれた画像データからサムネイルデータが生成され、生成されたサムネイルデータが画像圧縮・伸張処理部９によってＪＰＥＧ形式にエンコードされた後、カード制御部１４によって外部メモリカード１５に保存される。
【００２６】
図２は、外部メモリカード１５に保存される画像データファイルのフォーマットを示している。
【００２７】
画像データファイルは、ヘッダ、タグ情報、圧縮サムネイルデータおよび圧縮画像データから構成される。タグ情報には、他人に見せたくない画像であるか否かを記憶するためのシークレットフラグＦが含まれている。フラグＦの値が”１”である場合には、当該画像は他人に見せたくない画像であることを表し、フラグＦの値が”０”である場合には、当該画像は他人に見せてもよい画像であることを表している。フラグＦの初期値は、”０”に設定されている。ユーザは、再生モード時において、シークレットフラグＦの値を変更させることができる。
【００２８】
外部メモリカード１５に保存されている画像を再生させる再生モードとしては、１枚ずつ画像を再生して表示する通常再生モードと、複数の画像を縮小して一覧表示させるマルチ再生モードとがある。また、マルチ再生モード時に１画面に表示できる画像枚数を設定変更できるようになっている。この例では、１画面に表示できる画像枚数の種類としては、３×３，４×４，５×５，６×６の４種類がある。各再生モード時の動作の詳細については、後述する。
【００２９】
〔２〕シークレットフラグＦの変更処理
【００３０】
シークレットフラグＦの変更処理は、通常再生モード時において画像が再生されているときに行なわれる。シークレットフラグＦの値を”１”に設定することをシークレット設定といい、”１”に設定されているシークレットフラグＦの値を”０”に戻すことをシークレット解除ということにする。
【００３１】
ユーザは、ある画像に対してシークレット設定を行ないたい場合には、その画像を表示させた状態で、メニュー画面を表示させ、メニュー画面からＳＥＴボタンを操作することによりシークレット設定項目を選択してＳＥＴボタンを押せばよい。
【００３２】
また、ユーザは、ある画像に対してシークレット解除を行ないたい場合には、メニュー画面を表示させ、メニュー画面からＳＥＴボタンを操作することによりシークレット解除項目を選択してＳＥＴボタンを押す。すると、シークレット解除を行なうための画面が表示されるので、その画面にしたがって、操作を行なえばよい。
【００３３】
図３は、通常再生モード時において画像が再生されているときに行なわれるシークレットフラグＦの変更処理手順を示している。
【００３４】
通常再生モード時において画像が再生されているときに、シークレット設定操作が行なわれたか否か（ステップＳ１）、シークレット解除操作が行なわれたか否か（ステップＳ２）および通常再生終了操作が行なわれたか否か（ステップＳ３）を監視している。シークレット設定操作とは、この例では、メニュー画面からＳＥＴボタンを操作することによりシークレット設定項目を選択してＳＥＴボタンを押す操作をいう。シークレット解除操作とは、この例では、メニュー画面からＳＥＴボタンを操作することによりシークレット解除項目を選択してＳＥＴボタンを押す操作をいう。
【００３５】
通常再生モード時において画像が再生されているときに、シークレット設定操作が行なわれたと判別された場合には（ステップＳ１でＹＥＳ）、現在再生されている画像（表示されている画像）に対応するシークレットフラグＦの値を”１”に設定する（ステップＳ４）。そして、ステップＳ１に戻る。
【００３６】
通常再生モード時において画像が再生されているときに、シークレット解除操作が行なわれたと判別された場合には（ステップＳ２でＹＥＳ）、パスワード入力画面を表示して（ステップＳ５）、ユーザにパスワードを入力させる。そして、入力されたパスワードが予め登録されているパスワードと一致するか否かを判別する（ステップＳ６）。入力されたパスワードが予め登録されているパスワードと一致しなかった場合には、ステップＳ３に移行する。
【００３７】
入力されたパスワードが予め登録されているパスワードと一致した場合には、Ｆ＝１の画像を一覧表示させる（ステップＳ７）。そして、ユーザにシークレット解除する画像を選択させる（ステップＳ８）。ユーザによってシークレット解除する画像が選択された画像に対応するシークレットフラグＦの値を”０”に設定する（ステップＳ９）。そして、ステップＳ１に戻る。
【００３８】
通常再生モード時において画像が再生されているときに、通常再生モードを終了するための操作が行なわれたときには（ステップＳ３でＹＥＳ）、通常再生モードを終了する。
【００３９】
〔３〕通常再生モード時の動作
【００４０】
図４は、通常再生モード時に行なわれる通常再生処理手順を示している。
【００４１】
動作モードとして通常再生モードが設定されると、外部メモリカード１５に保存されている画像のうち最新の画像（最新に撮影された画像）を再生対象画像に設定し、再生対象画像のタグ情報を読み込む（ステップＳ１１）。
【００４２】
そして、再生対象画像のタグ情報内のシークレットフラグＦの値が１であるか否かを判別する（ステップＳ１２）。再生対象画像のタグ情報内のシークレットフラグＦの値が０である場合には、再生対象画像の表示処理を行う（ステップＳ１３）。
【００４３】
つまり、外部メモリカード１５から再生対象画像の圧縮画像データを読み出して、ＳＤＲＡＭ７に書き込む。ＳＤＲＡＭ７に書き込んだ圧縮画像データを、画像圧縮・伸張処理部９によって伸張させた後、ＳＤＲＡＭ７に書き込む。ＳＤＲＡＭ７に書き込んだ伸張後の画像データを、Ｄ／Ａ変換器１１によってアナログ映像信号に変換した後、ビデオエンコーダ１２によってＮＴＳＣ信号に変換させて表示器１３に表示させる。
【００４４】
再生対象画像が表示されている場合には、送り再生操作が行なわれたか否か（ステップＳ１４）、戻り再生操作が行なわれたか否か（ステップＳ１５）、通常再生終了操作が行なわれたか否か（ステップＳ１６）を監視する。
【００４５】
再生対象画像が表示されている場合に送り再生操作が行なわれたときには（ステップＳ１４でＹＥＳ）、現在再生されている画像より１つ先の画像（現在再生されている画像の次に新しい画像）を再生対象画像に設定し、再生対象画像のタグ情報を読み込む（ステップＳ１７）。そして、ステップＳ１２に移行する。なお、１つ先の画像が存在しないときには、外部メモリカード１５に保存されている画像の中で最も古い画像が再生対象画像に設定される。
【００４６】
再生対象画像が表示されている場合に戻り再生操作が行なわれたときには（ステップＳ１５でＹＥＳ）、現在再生されている画像より１つ前の画像を再生対象画像に設定し、再生対象画像のタグ情報を読み込む（ステップＳ１８）。そして、ステップＳ１２に移行する。なお、１つ前の画像が存在しないときには、外部メモリカード１５に保存されている画像の中で最も新しい画像が再生対象画像に設定される。
【００４７】
再生対象画像が表示されている場合に再生終了操作が行なわれたときには（ステップＳ１６でＹＥＳ）、通常再生処理を終了する。
【００４８】
上記ステップＳ１２において、再生対象画像のタグ情報内のシークレットフラグＦの値が１であると判別した場合には、その画像を表示させるための処理表示を行なうことなく、再生対象画像より１つ先の画像を再生対象画像に設定し、再生対象画像のタグ情報を読み込む（ステップＳ１９）。そして、ステップＳ１２に移行する。なお、１つ先の画像が存在しないときには、外部メモリカード１５に保存されている画像の中で最も古い画像が再生対象画像に設定される。
【００４９】
このように、通常再生モードにおいては、シークレットフラグＦの値が１に設定されている画像は、表示されなくなる。
【００５０】
〔４〕マルチ再生モード時の動作
【００５１】
通常再生モード時においてメニュー画面からマルチ再生モードを選択するか、通常再生モード時においてズームスイッチのＷ側（ズーム・アウト側）を押すと、マルチ再生モードとなる。
【００５２】
また、マルチ再生モード時にズームスイッチのＷ側（ズーム・アウト側）またはＴ側（ズーム・イン側）を押すことにより、１画面に表示できる画像枚数を設定変更できるようになっている。この例では、１画面に表示できる画像枚数の種類としては、３×３，４×４，５×５，６×６の４種類がある。つまり、各画面枚数モードにおける画面枚数をｎ×ｎで表すと、ｎ＝３，ｎ＝４，ｎ＝５，ｎ＝６の４種類がある。
【００５３】
動作モードがマルチ再生モードに切り替えられた直後においては、画像枚数モードは３×３のモード（ｎ＝３）に設定される。ズームスイッチのＷ側を押すと画像枚数が増える方向に画像枚数モードが変更せしめられる、ズームスイッチのＴ側（ズーム・イン側）を押すと画像枚数が減少する方向に画像枚数モードが変更せしめられる。
【００５４】
例えば、外部メモリカード１５に、画像番号が”００１”〜”０１６”の１６枚の静止画像が保存されているとする。画像番号は撮影された画像に対して撮影順に付加される番号であり、外部メモリカード１５の内容がクリアされると、リセットされる番号である。なお、画像番号が”ａｂｃ”のサムネイルを、サムネイル”ａｂｃ”と表記することにする。動作モードがマルチ再生モードに切り替えられると、図５に示すように、外部メモリカード１５に保存されているサムネイルのうち最新のサムネイル”０１６”が、３×３の９個の枠のうちの最後の枠（最後尾）に配置されるようにして、９枚のサムネイルがマルチ再生される。
【００５５】
図５の最上段の３枚のサムネイル”００８”，”００９”，”０１０”のうちの１つのサムネイルがＳＥＴボタンによって選択されている状態からＳＥＴボタンが上方向に操作された場合または左上のサムネイル”００８”がＳＥＴボタンによって選択されている状態からＳＥＴボタンが左方向に操作された場合には、図６に示すように、最上段のサムネイル”００８”，”００９”，”０１０”が最下段に表示されるように、表示内容が更新される。
【００５６】
図６の最下段の３枚のサムネイル”００８”，”００９”，”０１０”のうちの１つの画像がＳＥＴボタンによって選択されている状態からＳＥＴボタンが下方向に操作された場合または右下のサムネイル”０１０”がＳＥＴボタンによって選択されている状態からＳＥＴボタンが右方向に操作された場合には、図５に示すように、最下段のサムネイル”００８”，”００９”，”０１０”が最上段に表示されるように、表示内容が更新される。
【００５７】
図５に示すように、３×３のモードで９枚のサムネイルが表示されている場合において、ズームスイッチのＷ側が押されると、図７に示すように４×４のモードで１６枚のサムネイルが表示される。この際、３×３のモードで表示されている画像のうちの最後尾の画像が、４×４のモードで表示される画像のうちの最後尾の画像となるように４×４のモードでの表示画像およびその配置位置が選択される。
【００５８】
図７に示すように、４×４のモードで１６枚のサムネイルが表示されている場合において、ズームスイッチのＴ側が押されると、図５に示すように３×３のモードで９枚のサムネイルが表示される。この際、４×４のモードで表示されている画像のうちの最後尾の画像が、３×３のモードで表示される画像のうちの最後尾の画像となるように３×３のモードでの表示画像およびその配置位置が選択される。
【００５９】
図８は、マルチ再生モード時に行なわれるマルチ再生処理手順を示している。
【００６０】
動作モードとしてマルチ再生モードが設定されると、ｎに３が設定される（ステップＳ２１）。また、最後尾に表示されるサムネイルの画像番号ｍとして、最新の画像の画像番号が設定される（ステップＳ２２）。
【００６１】
次に、ｎが５以上（ｎ≧５）であるか否かを判別する（ステップＳ２３）。ｎが５未満である場合、つまり、ｎ＝３またはｎ＝４である場合には、シークレットフラグＦを考慮したマルチ画面表示処理を実行する（ステップＳ２４）。
【００６２】
シークレットフラグＦを考慮したマルチ画面表示処理について説明する。まず、ｎおよびｍの値に基づいて、表示すべき画像およびその配置位置を決定し、表示すべき画像の圧縮サムネイルデータをその配置順序にしたがって外部メモリカード１５から読み出してＳＤＲＡＭ７に書き込む。ＳＤＲＡＭ７に書き込んだ圧縮サムネイルデータを画像圧縮・伸張処理部９によって伸張した後、再度ＳＤＲＡＭ７に書き込む。
【００６３】
次に、ｎの値に基づいて、必要であれば、画像処理部８によって、ＳＤＲＡＭ７に書き込んだ伸張後の各サムネイルデータを縮小させた後、再度ＳＤＲＡＭ７に書き込む。ｎ＝３の場合には、この縮小処理は、不要である。ｎが４以上である場合には、ｎの値が大きくなるほど、縮小率が大きくなるように、ＳＤＲＡＭ７に書き込んだ伸張後の各サムネイルデータを縮小する。
【００６４】
次に、ＳＤＲＡＭ７に書き込んだ縮小処理後の各サムネイルデータ（ただし、ｎ＝３の場合には、ＳＤＲＡＭ７に書き込んだ伸張後の各サムネイルデータ）のうち、シークレットフラグＦの値が１であるサムネイルデータに対して、画像処理部８によって、ぼかし処理を行なった後、ＳＤＲＡＭ７に再度書き込む。ぼかし処理の具体例については、後述する。このようにしてＳＤＲＡＭ７上に得られたマルチ画面表示対象のサムネイルを、マルチ表示する。したがって、マルチ表示された複数枚のサムネイルのうち、シークレットフラグＦの値が１であるサムネイルは、ぼかし処理が施された画像となる。
【００６５】
上記ステップＳ２３でｎが５以上（ｎ≧５）であると判別した場合、つまり、ｎ＝５またはｎ＝６であると判別した場合には、通常のマルチ画面表示処理を実行する（ステップＳ２５）。
【００６６】
通常のマルチ画面表示処理について説明する。まず、ｎおよびｍの値に基づいて、表示すべき画像を特定するとともに配置位置を決定し、表示すべき画像の圧縮サムネイルデータをその配置順序にしたがって外部メモリカード１５から読み出してＳＤＲＡＭ７に書き込む。ＳＤＲＡＭ７に書き込んだ圧縮サムネイルデータを画像圧縮・伸張処理部９によって伸張した後、再度ＳＤＲＡＭ７に書き込む。
【００６７】
次に、ｎの値に基づいて、必要であれば、画像処理部８によって、ＳＤＲＡＭ７に書き込んだ伸張後の各サムネイルデータを縮小させた後、再度ＳＤＲＡＭ７に書き込む。ｎ＝３の場合には、この縮小処理は、不要である。ｎが４以上である場合には、ｎの値が大きくなるほど、縮小率が大きくなるように、ＳＤＲＡＭ７に書き込んだ伸張後の各サムネイルデータを縮小する。このようにしてＳＤＲＡＭ７上に得られたマルチ画面表示対象のサムネイルを、マルチ表示する。
【００６８】
ステップＳ２４またはＳ２５によって複数枚のサムネイルがマルチ画面表示されると、ズームスイッチのＷ側が押されたか否か（ステップＳ２６）、ズームスイッチのＴ側が押されたか否か（ステップＳ２７）、画面更新操作が行なわれたか否か（ステップＳ２８）およびマルチ再生終了操作が行なわれたか否か（ステップＳ２９）を監視する。なお、画面更新操作とは、図５および図６で説明したように、ｎ×ｎのマルチ画面に表示される画像を更新させるための操作をいう。
【００６９】
複数枚のサムネイルがマルチ画面表示されている状態において、ズームスイッチのＷ側が押された場合には（ステップＳ２６でＹＥＳ）、ｎ＝６であるか否かを判別する（ステップＳ３０）。ｎ＝６である場合には、ｎをそれ以上大きくできないので、ステップＳ２６に戻る。ｎ＝６でない場合には、つまり、ｎが３、４または５である場合には、ｎを１だけインクリメントした後（ステップＳ３１）、ステップＳ２３に戻る。この場合、ｎはｎ＋１に変化するが最後尾に表示されるサムネイルの画像番号ｍは変化しない。
【００７０】
複数枚のサムネイルがマルチ画面表示されている状態において、ズームスイッチのＴ側が押された場合には（ステップＳ２７でＹＥＳ）、ｎ＝３であるか否かを判別する（ステップＳ３２）。ｎ＝３である場合には、ｎをそれ以上小さくできないので、ステップＳ２６に戻る。ｎ＝３でない場合には、つまり、ｎが４、５または６である場合には、ｎを１だけデクリメントした後（ステップＳ３３）、ステップＳ２３に戻る。この場合、ｎはｎ−１に変化するが最後尾に表示されるサムネイルの画像番号ｍは変化しない。
【００７１】
複数枚のサムネイルがマルチ画面表示されている状態において、画面更新操作が行なわれた場合には（ステップＳ２８でＹＥＳ）、現在のｍおよび画面更新操作の種類に応じて最後尾に表示されるサムネイルの画像番号ｍを決定した後（ステップＳ３４）、ステップＳ２３に戻る。この場合には、ｎは変化しないが最後尾に表示されるサムネイルの画像番号ｍが変化する。
【００７２】
複数枚のサムネイルがマルチ画面表示されている状態において、マルチ再生終了操作が行なわれた場合には（ステップＳ２９でＹＥＳ）、マルチ再生処理を終了する。
【００７３】
ｎの値が大きくなるほど、マルチ画面上に表示される各サムネイルがより縮小されて表示される。また、ｎの値が大きくなるほど、マルチ画面上に表示される各サムネイルの数は多くなり、マルチ画面を表示するために時間がかかる。ｎの値が大きいためにサイズが小さく、他人が画像内容を認識しずらくなっているサムネイルに、さらにぼかし処理を施してマルチ画面表示を行なうと、撮影者であるユーザにもそのサムネイルの内容が把握できなくなる可能性が高くなる。そこで、本実施例では、ｎの値が大きいためにサイズが小さく、他人が画像内容を認識しずらくなっているサムネイルには、ぼかし処理を施さないようにしている。その結果、マルチ画面表示されるサムネイルの数が多い場合に、ぼかし処理を行なう時間を省くことができる。この場合、他に見せたくない画像のサムネイルの内容は、他人には認識しずらく、撮影者であるユーザには把握できるようになる。
【００７４】
〔５〕ぼかし処理の具体例
【００７５】
図８のステップＳ２４ＫシークレットフラグＦを考慮したマルチ画面表示処理においてサムネイルデータに対して行なわれるぼかし処理について説明する。
【００７６】
例えば、次のような方法でぼかし画像を生成する。
（１）原画像をその中心を中心として所定角度回転させた画像と、原画像とを重ね合わせることにより、ぼかし画像を生成する。
（２）原画像を所定の倍率で拡大または縮小した画像と、原画像とを重ね合わせることにより、ぼかし画像を生成する。
（３）原画像を所定の角度方向に一定距離だけ移動させた画像と、元の位置にある原画像とを重ね合わせることにより、ぼかし画像を生成する。
（４）原画像にモザイクをかけることにより、ぼかし画像を生成する。
（５）原画像から焦点がずれた画像を生成することにより、ぼかし画像を生成する。
【図面の簡単な説明】
【００７７】
【図１】デジタルカメラの構成を示すブロック図である。
【図２】外部メモリカード１５に保存される画像データファイルのフォーマットを示す模式図である。
【図３】通常再生モード時において画像が再生されているときに行なわれるシークレットフラグＦの変更処理手順を示すフローチャートである。
【図４】通常再生モード時に行なわれる通常再生処理手順を示すフローチャートである。
【図５】３×３のマルチ画面の表示例を示す模式図である。
【図６】図５の状態から所定の画面更新操作が行なわれることによって、画面内容が更新された例を示す模式図である。
【図７】図５の状態からズームスイッチのＷ側が押されることによって、４×４のマルチ画面が表示されることを示す模式図である。
【図８】マルチ再生モード時に行なわれるマルチ再生処理手順を示すフローチャートである。
【符号の説明】
【００７８】
３  ＣＣＤ
４  ＣＤＳ／ＡＧＣ回路
５  Ａ／Ｄ変換器
６  信号処理部
７  ＳＤＲＡＭ
８  画像処理部
９  画像圧縮・伸張処理部
１３  表示器
１４  カード制御部
１５  外部メモリカード
２０  ＣＰＵ
２１  操作部
【図１】
2011254526.tif 000003
【図２】
2011254526.tif 000004
【図３】
2011254526.tif 000005
【図４】
2011254526.tif 000006
【図５】
2011254526.tif 000007
【図６】
2011254526.tif 000008
【図７】
2011254526.tif 000009
【図８】
2011254526.tif 000010
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
マルチ再生モード時において、１画面内の表示可能枚数を設定変更可能な手段を備えたデジタルカメラにおいて、
保存している撮影画像に対して、画像処理の対象のための撮影画像を選択する選択手段、
前記選択手段により選択された撮影画像の縮小画像について、縮小画像の中心を中心として所定角度回転させる処理を含む画像処理を施す画像処理手段、
マルチ再生のために設定されている１画面内の表示可能枚数が所定枚数以上であるか否かを判別する判別手段、
前記判別手段による判別の結果、設定されている１画面内の表示可能枚数が所定枚数未満であると判別した場合には、マルチ表示すべき複数枚の撮影画像の縮小画像のうち、前記選択手段により選択されたものについては、前記画像処理手段による画像処理後の縮小画像を表示させ、前記選択手段により選択されていないものについては、前記画像処理手段による画像処理を施すことなく表示させる手段、ならびに
前記判別手段による判別の結果、設定されている１画面内の表示可能枚数が所定枚数以上であると判別した場合には、マルチ表示すべき複数枚の撮影画像の縮小画像を前記画像処理手段による画像処理を施すことなく表示させる手段を備えていることを特徴とするデジタルカメラ。
【請求項２】
マルチ再生モード時において、１画面内の表示可能枚数を設定変更可能な手段を備えたデジタルカメラにおいて、
保存している撮影画像に対して、画像処理の対象のための撮影画像を選択する選択手段、
前記選択手段により選択された撮影画像の縮小画像について、所定の倍率で拡大または縮小する処理を含む画像処理を施す画像処理手段、
マルチ再生のために設定されている１画面内の表示可能枚数が所定枚数以上であるか否かを判別する判別手段、
前記判別手段による判別の結果、設定されている１画面内の表示可能枚数が所定枚数未満であると判別した場合には、マルチ表示すべき複数枚の撮影画像の縮小画像のうち、前記選択手段により選択されたものについては、前記画像処理手段による画像処理後の縮小画像を表示させ、前記選択手段により選択されていないものについては、前記画像処理手段による画像処理を施すことなく表示させる手段、ならびに
前記判別手段による判別の結果、設定されている１画面内の表示可能枚数が所定枚数以上であると判別した場合には、マルチ表示すべき複数枚の撮影画像の縮小画像を前記画像処理手段による画像処理を施すことなく表示させる手段を備えていることを特徴とするデジタルカメラ。
【請求項３】
マルチ再生モード時において、１画面内の表示可能枚数を設定変更可能な手段を備えたデジタルカメラにおいて、
保存している撮影画像に対して、画像処理の対象のための撮影画像を選択する選択手段、
前記選択手段により選択された撮影画像の縮小画像について所定の角度方向に一定距離だけ移動させる処理を含む画像処理を施す画像処理手段、
マルチ再生のために設定されている１画面内の表示可能枚数が所定枚数以上であるか否かを判別する判別手段、
前記判別手段による判別の結果、設定されている１画面内の表示可能枚数が所定枚数未満であると判別した場合には、マルチ表示すべき複数枚の撮影画像の縮小画像のうち、前記選択手段により選択されたものについては、前記画像処理手段による画像処理後の縮小画像を表示させ、前記選択手段により選択されていないものについては、前記画像処理手段による画像処理を施すことなく表示させる手段、ならびに
前記判別手段による判別の結果、設定されている１画面内の表示可能枚数が所定枚数以上であると判別した場合には、マルチ表示すべき複数枚の撮影画像の縮小画像を前記画像処理手段による画像処理を施すことなく表示させる手段を備えていることを特徴とするデジタルカメラ。
【請求項４】
マルチ再生モード時において、１画面内の表示可能枚数を設定変更可能な手段を備えたデジタルカメラにおいて、
保存している撮影画像に対して、画像処理の対象のための撮影画像を選択する選択手段、
前記選択手段により選択された撮影画像の縮小画像についてモザイクをかける処理を含む画像処理を施す画像処理手段、
マルチ再生のために設定されている１画面内の表示可能枚数が所定枚数以上であるか否かを判別する判別手段、
前記判別手段による判別の結果、設定されている１画面内の表示可能枚数が所定枚数未満であると判別した場合には、マルチ表示すべき複数枚の撮影画像の縮小画像のうち、前記選択手段により選択されたものについては、前記画像処理手段による画像処理後の縮小画像を表示させ、前記選択手段により選択されていないものについては、前記画像処理手段による画像処理を施すことなく表示させる手段、ならびに
前記判別手段による判別の結果、設定されている１画面内の表示可能枚数が所定枚数以上であると判別した場合には、マルチ表示すべき複数枚の撮影画像の縮小画像を前記画像処理手段による画像処理を施すことなく表示させる手段を備えていることを特徴とするデジタルカメラ。
【請求項５】
マルチ再生モード時において、１画面内の表示可能枚数を設定変更可能な手段を備えたデジタルカメラにおいて、
保存している撮影画像に対して、画像処理の対象のための撮影画像を選択する選択手段、
前記選択手段により選択された撮影画像の縮小画像について焦点をずらす処理を含む画像処理を施す画像処理手段、
マルチ再生のために設定されている１画面内の表示可能枚数が所定枚数以上であるか否かを判別する判別手段、
前記判別手段による判別の結果、設定されている１画面内の表示可能枚数が所定枚数未満であると判別した場合には、マルチ表示すべき複数枚の撮影画像の縮小画像のうち、前記選択手段により選択されたものについては、前記画像処理手段による画像処理後の縮小画像を表示させ、前記選択手段により選択されていないものについては、前記画像処理手段による画像処理を施すことなく表示させる手段、ならびに
前記判別手段による判別の結果、設定されている１画面内の表示可能枚数が所定枚数以上であると判別した場合には、マルチ表示すべき複数枚の撮影画像の縮小画像を前記画像処理手段による画像処理を施すことなく表示させる手段を備えていることを特徴とするデジタルカメラ。
【請求項６】
マルチ再生モード時において、１画面内の表示可能枚数を設定変更可能な手段を備えたデジタルカメラにおいて、
保存している撮影画像に対して、画像処理の対象のための撮影画像を選択する選択手段、
前記選択手段により選択された撮影画像の縮小画像について所定の画像処理を施す画像処理手段、
マルチ再生のために設定されている１画面内の表示可能枚数が所定枚数以上であるか否かを判別する判別手段、
前記判別手段による判別の結果、設定されている１画面内の表示可能枚数が所定枚数未満であると判別した場合には、マルチ表示すべき複数枚の撮影画像の縮小画像のうち、前記選択手段により選択されたものについては、前記画像処理手段による画像処理後の縮小画像を表示させ、前記選択手段により選択されていないものについては、前記画像処理手段による画像処理を施すことなく表示させる手段、ならびに
前記判別手段による判別の結果、設定されている１画面内の表示可能枚数が所定枚数以上であると判別した場合には、マルチ表示すべき複数枚の撮影画像の縮小画像を前記画像処理手段による画像処理を施すことなく表示させる手段を備えていることを特徴とするデジタルカメラ。